(57)【要約】【課題】既存の試験用電源を用いて電力量計を実負荷試験し得る試験装置を提供すること。【解決手段】複数の被試験電力量計ＷＨの電圧端子を電圧源ＶＳに接続する電圧回路と、絶縁変流器ＣＴｉを介して前記被試験電力量計の電流端子を電流源ＣＳに接続する電流回路とを有し、前記被試験電力量計に電圧、電流を与えて実負荷試験する試験装置において、前記絶縁変流器に対し前記電流源から供給される電流ｉを検出する電流検出器ＣＴｄと、この電流検出器の検出した電流に応じた電圧信号ｖｓを形成する電流／電圧変換器Ｉ／Ｖと、前記補償用電圧信号を増幅して前記電流回路に対し前記絶縁変流器のインピーダンスによる電圧降下分を補償するように供給する負性インピーダンス回路ＮＩとをそなえた試験装置。又は、前記電流検出器の替わりに電圧検出器を、前記電流／電圧変換器の替わりに電圧・電圧変換器Ｖ／Ｖを用いたもの。【選択図】図１
2016042045.tif 000002
【特許請求の範囲】
【請求項１】
複数の被試験電力量計の電圧端子を電圧源に接続する電圧回路と、絶縁変流器を介して前記被試験電力量計の電流端子を電流源に接続する電流回路とを有し、前記被試験電力量計に電圧、電流を与えて実負荷試験する試験装置において、
前記絶縁変流器に対し前記電流源から供給される電流を検出する電流検出器と、
この電流検出器の検出した電流に応じた補償用電圧信号を形成する電流／電圧変換器と、
前記補償用電圧信号を増幅して前記電流回路に対し前記絶縁変流器のインピーダンスによる電圧降下分を補償するように供給する負性インピーダンス回路と
をそなえたことを特徴とする試験装置。
【請求項２】
複数の被試験電力量計の電圧端子を電圧源に接続する電圧回路と、絶縁変流器を介して前記被試験電力量計の電流端子を電流源に接続する電流回路とを有し、前記被試験電力量計に電圧、電流を与えて実負荷試験する試験装置において、
前記絶縁変流器に対し前記電流源から供給される電圧を検出する電圧検出器と、
この電圧検出器の検出した電圧信号に基づき補償用電圧信号を形成する電圧／電圧変換器と、
前記補償用電圧信号を増幅して前記電流回路に対し前記絶縁変流器のインピーダンスによる電圧降下分を補償するように供給する負性インピーダンス回路と
をそなえたことを特徴とする試験装置。
【請求項３】
請求項１または２記載の試験装置において、
前記負性インピーダンス回路は、
前記補償用電圧信号を増幅する増幅器と、
この増幅器の出力を前記電流回路に供給する出力変圧器と
をそなえたことを特徴とする試験装置。
【発明の詳細な説明】
【技術分野】
【０００１】
本発明は、電力量計の試験装置に係わり、とくに実負荷試験における複数の計器を同時に測定可能にする対策を施した試験装置に関する。
【背景技術】
【０００２】
電力量計の試験装置では、虚負荷計器については虚負荷試験を行っている。これは、図３Ａに示すように、試験台にセットされた多数の電力量計ＷＨにおける、計測時は閉じている短絡片ＳＷ１，ＳＷ２を、試験時は開いて電圧回路と電流回路とを切り離した状態とし、電圧回路を電圧源に、電流回路を電流源に接続して試験を行うものである（特許文献１参照）。
【０００３】
他方、近年普及が進んでいる電子式電力量計は、図３Ｂから分かるように、上記短絡片が設けられていないため、虚負荷試験は行えず、電流回路に絶縁変流器を介挿する実負荷試験を行う（特許文献２参照）。
【先行技術文献】
【特許文献】
【０００４】
【特許文献１】特許第4943046号公報
【特許文献２】特開2007-232599号公報
【発明の開示】
【発明が解決しようとする課題】
【０００５】
上記の実負荷試験の場合、虚負荷試験では不要の絶縁変流器を用いるので、試験装置は、被試験電力量計に加えて絶縁変流器の負担が加わる。このため、虚負荷試験に用いていた電源装置よりも大容量の電源装置を必要とする。
【０００６】
すなわち、図４Ａに示す虚負荷試験回路と図４Ｂに示す実負荷試験回路とを対比すると分かるように、実負荷試験回路（図４Ｂ）では虚負荷試験回路（図４Ａ）にはない絶縁変流器がある。
【０００７】
この結果、図４Ａでの負担は（電力量計の電流入力回路＋電流線）＝Ｖａであるのに対し、図４Ｂでの負担はこの絶縁変流器の負担Ｖｂが加わるから電流源では電圧（Ｖａ＋Ｖｂ）を発生する必要がある。
【０００８】
これにより、虚負荷試験用の電源を実負荷試験にも使用することができず、新たな電源装置を設置することになる。
【０００９】
本発明は上述の点を考慮してなされたもので、既存の試験用電源を用いて電力量計を実負荷試験し得る試験装置を提供することを目的とする。
【課題を解決するための手段】
【００１０】
上記目的達成のため、本発明では、
複数の被試験電力量計の電圧端子を電圧源に接続する電圧回路と、絶縁変流器を介して前記被試験電力量計の電流端子を電流源に接続する電流回路とを有し、前記被試験電力量計に電圧、電流を与えて実負荷試験する試験装置において、
前記絶縁変流器に対し前記電流源から供給される電流を検出する電流検出器と、
この電流検出器の検出した電流に応じた補償用電圧信号を形成する電流／電圧変換器と、
前記補償用電圧信号を増幅して前記電流回路に対し前記絶縁変流器のインピーダンスによる電圧降下分を補償するように供給する負性インピーダンス回路と
をそなえたことを特徴とする試験装置、
および
複数の被試験電力量計の電圧端子を電圧源に接続する電圧回路と、絶縁変流器を介して前記被試験電力量計の電流端子を電流源に接続する電流回路とを有し、前記被試験電力量計に電圧、電流を与えて実負荷試験する試験装置において、
前記絶縁変流器に対し前記電流源から供給される電圧を検出する電圧検出器と、
この電圧検出器の検出した電圧信号に基づき補償用電圧信号を形成する電圧／電圧変換器と、
前記補償用電圧信号を増幅して前記電流回路に対し前記絶縁変流器のインピーダンスによる電圧降下分を補償するように供給する負性インピーダンス回路と
をそなえたことを特徴とする試験装置、
を提供する。
【発明の効果】
【００１１】
本発明は上述のように、電力量計の試験装置における電流回路に負性インピーダンス回路を設けたため、被試験電力量計を実負荷試験する際に挿入する絶縁変流器の負担を打ち消すことができ、電源を替えることなく虚負荷試験用の試験装置を用いて実負荷試験を実施することができる。
【図面の簡単な説明】
【００１２】
【図１】本発明の基本構成を示す接続図。
【図２】図２Ａは本発明における電流検出型の実施例を示す接続図、図２Ｂは同じく電圧検出型の実施例を示す接続図。
【図３】図３Ａは従来の虚負荷試験装置を示す接続図、図３Ｂは従来の実負荷試験装置を示す接続図。
【図４】図４Ａは図３Ａに示した虚負荷試験装置の電流回路を示す概略回路図、図４Ｂは図３Ｂに示した実負荷試験装置の電流回路を示す概略回路図。
【発明を実施するための最良の形態】
【００１３】
以下、図1および図２を参照して本発明の実施の形態を説明する。
【基本的構成】
【００１４】
図１は、本発明の基本的構成を示す接続図であり、被試験電力量計ＷＨを実負荷試験するための電流回路を示している。この電流回路における被試験電力量計ＷＨは、絶縁変流器ＣＴｉを介して電流源ＣＳに接続される。
【００１５】
ここで、絶縁変流器ＣＴｉで生じる電圧降下分を補償するために、負性インピーダンス回路ＮＩが、電流回路における絶縁変流器ＣＴｉの一次側に直列接続される。
【００１６】
負性インピーダンス回路ＮＩは、電流回路を流れる電流ｉまたは電流源ＣＳ両端間に発生する電圧ｖに対応した負性インピーダンスを形成して、絶縁変流器ＣＴｉにおける電圧降下分ＶＬに相当する負の電圧Ｖｒを電流回路に供給する。
【００１７】
これにより、電圧降下分ＶＬは負の電圧Ｖｒによって打ち消されるから、実負荷試験で不可避な絶縁変流器ＣＴｉの使用に起因する負担の増加が補償されて、被試験電力量計を試験することができる。
【実施例１】
【００１８】
図２Ａは、本発明の電流検出型の実施例を示したものである。この実施例では、電流回路に流れる電流ｉを電流検出器ＣＴｄで検出して電流／電圧変換器Ｉ／Ｖに与え、その変換出力である補償用電圧信号ｖｓを、負性インピーダンス回路ＮＩの増幅器ＡＭＰで増幅した上で、出力変圧器ＶＴｏを通すことにより得られる補償電圧Ｖｒとして電流回路に出力する。
【００１９】
この補償電圧Ｖｒは、絶縁変流器ＣＴｉにおける電圧降下分ＶLに相当するものである。したがって、実負荷試験で用いられる絶縁変流器ＣＴｉにより生じる負担の増加分が補償される。
【実施例２】
【００２０】
図２Ｂは、本発明の電圧検出型の実施例を示したもので、電流回路における電流源ＣＳの両端間電圧ｖを電圧／電圧変換器Ｖ／Ｖに与え、その変換出力である補償用電圧信号ｖｓを、負性インピーダンス回路ＮＩの増幅器ＡＭＰで増幅した上で、出力変圧器ＶＴｏを通すことにより得られる補償電圧Ｖｒとして電流回路に出力する。
【００２１】
この補償電圧Ｖｒは、絶縁変流器ＣＴｉにおける電圧降下分ＶLに相当するものである。したがって、実負荷試験で用いられる絶縁変流器ＣＴｉにより生じる電圧降下分ＶL、つまり負担の増加分が補償される。
【符号の説明】
【００２２】
ＷＨ  被試験電力量計、ＣＴｉ  絶縁変流器、ＣＳ  電流源、
ＮＩ  負性インピーダンス回路、ＣＴｄ  電流検出器、ＶＴｏ  出力変圧器、
Ｉ／Ｖ  電流／電圧変換器、ＡＭＰ  増幅器、Ｖ／Ｖ  電圧／電圧変換器、
ＳＷ  スイッチ、ＶＳ  電圧源。
ｉ  電流回路電流、ｖ  電流源電圧、ＶＬ，Ｖａ  電圧降下分、
Ｖｒ，Ｖｂ  補償電圧、ｖｓ  補償用電圧信号。
【図１】
2016042045.tif 000003
【図２Ａ】
2016042045.tif 000004
【図２Ｂ】
2016042045.tif 000005
【図３Ａ】
2016042045.tif 000006
【図３Ｂ】
2016042045.tif 000007
【図４Ａ】
2016042045.tif 000008
【図４Ｂ】
2016042045.tif 000009